(57)【要約】【課題】広告宣伝機能を有するゴルフティーを提供する。【解決手段】ゴルフティーは、地面に差し込まれる軸部を一端側に有し、ゴルフボールを載置する載置部を他端側に有するゴルフティーであって、軸部と載置部との間に、軸方向に直交する方向に軸部の径と同一またはそれより幅広の辺を有する四角形の平面を有する中間領域部が設けられ、当該中間領域部の平面に、カメラで読み取り可能な識別コードが表示される。【選択図】図１
2019201766.tif 000002
【特許請求の範囲】
【請求項１】
地面に差し込まれる軸部を一端側に有し、ゴルフボールを載置する載置部を他端側に有するゴルフティーにおいて、
前記軸部と前記載置部との間に、軸方向に直交する方向に前記軸部の径と同一またはそれより幅広の辺を有する四角形の平面を有する中間領域部が設けられ、当該中間領域部の前記平面に、カメラで読み取り可能な識別コードが表示されることを特徴とするゴルフティー。
【請求項２】
前記中間領域部は、表裏２面の平面を有する平板状に形成され、少なくとも一方の平面に、前記識別コードが印刷されたプレートが貼り付けられることを特徴とする請求項１に記載のゴルフティー。
【請求項３】
前記中間領域部は、表裏２面の平面を有する平板状に形成され、少なくとも一方の平面に、前記識別コードが印刷されることを特徴とする請求項１に記載のゴルフティー。
【請求項４】
前記識別コードは二次元コードであることを特徴とする請求項１乃至３のいずれかに記載のゴルフティー。
【請求項５】
前記中間領域部は、前記平面より高くその周囲を囲む縁を有することを特徴とする請求項１乃至４のいずれかに記載のゴルフティー。
【発明の詳細な説明】
【技術分野】
【０００１】
本発明は、ゴルフのティーショットにおいて用いられるゴルフティーに関する。
【背景技術】
【０００２】
ゴルフティーは、ゴルフのティーショットにおいて用いられ、ティーショットは、地面に差し込まれたゴルフティーの上に載置されたゴルフボールをゴルフクラブで打つことで行われる。
【０００３】
ゴルフコースをラウンドする場合、複数回のティーショットを打つことになり、プレイヤは、あらかじめ複数のゴルフティーを用意する。ショートコースやロングコースでは、用いるゴルフクラブが異なり、それに伴い、ゴルフティーの高さを異ならせる必要があり、そのため、高さの異なる複数種類のゴルフティーが用意される。なお、一つのゴルフティーにより、高さ調整できるゴルフティーも提案されている（例えば、特許文献１、２）。また、ティーショット時において、ゴルフボールとともに、ゴルフティーが飛んでいってしまい、失ってしまう場合があるため、予備として、同一種類のゴルフティーを複数用意し、プレイヤのズボンのポケットやゴルフバッグなどプレイ中に即取り出せるように準備される。
【先行技術文献】
【特許文献】
【０００４】
【特許文献１】特開２０１２−０８１０３２号公報
【特許文献２】実用新案登録第３２１３４５５号公報
【発明の概要】
【発明が解決しようとする課題】
【０００５】
このようにプレイヤの身近に携帯されるゴルフティーについて、本願の発明者は、新たな機能として広告宣伝機能を付加することを想起し、本願発明に至った。すなわち、本発明の目的は、広告宣伝機能を有するゴルフティーを提供することにある。
【課題を解決するための手段】
【０００６】
上記目的を達成するための本発明のゴルフティーの構成は、地面に差し込まれる軸部を一端側に有し、ゴルフボールを載置する載置部を他端側に有するゴルフティーにおいて、軸部と載置部との間に、軸方向に直交する方向に軸部の径と同一またはそれより幅広の辺を有する四角形の平面を有する中間領域部が設けられ、当該中間領域部の平面部位に、カメラで読み取り可能な識別コードが表示されることを特徴とする。
【発明の効果】
【０００７】
本発明のゴルフティーによれば、ゴルフティーに中間領域部が設けられ、その中間領域部にカメラで読み取り可能な識別コードが表示されるようにしたことから、プレイヤなどゴルフティーの所持者が、自己のスマートフォンのカメラによりその識別コードを読み取る動作を行うことを促すことができ、識別コードにリンクされている広告主のウェブサイトに誘導し、広告宣伝機能を発揮することが可能となる。本発明のゴルフティーは、広告宣伝機能の高いノベルティグッズとして活用することができる。
【図面の簡単な説明】
【０００８】
【図１】本発明の実施の形態におけるゴルフティーの構成を示す正面図及び側面図である。
【図２】本発明の実施の形態におけるゴルフティーの構成を示す斜視図である。
【図３】プレート２０の例を示す図である。
【発明を実施するための形態】
【０００９】
以下、図面を参照して本発明の実施の形態について説明する。しかしながら、かかる実施の形態例が、本発明の技術的範囲を限定するものではない。
【００１０】
図１は、本発明の実施の形態におけるゴルフティーの構成を示す図であり、図１（ａ）は正面図、図１（ｂ）は側面図を示す。また、図２は、斜視図を示す。
【００１１】
ゴルフティー１０は、その一端側において、地面に差し込まれる軸部１２を有し、他端側において、ゴルフボールを載置する載置部１４を有する。軸部は、好ましくは根元から差込先端に向けて先細形状であり、地面にスムースに差し込まれる。また、載置部１４は、ゴルフボールを支持可能に少なくとも３点で支える構造（図１及び２では、一例として６点支持構造を示す）や皿形状に形成される。そして、本発明のゴルフティー１０は、さらに、軸部１２と載置部１４との間に、軸方向に直交する方向に軸部１２の根元の径と同一かそれより幅広の辺を有する四角形の平面を有する中間領域部１６が形成される。
【００１２】
中間領域部１６は、表裏２面の平面１６ａを有する平板状に形成され、例えば、平面１６ａは長方形であり、好ましくは、中間領域部１６は、表裏対称性を有し、両面において、平面１６ａより高くその周囲を囲む縁１６ｂが両面に設けられる。
【００１３】
中間領域部１６は、軸部１２の根元と載置部１４の底部との間に設けられ、軸方向において軸部１２及び載置部１４と連続して一体的に構成される。本実施の形態のゴルフティー１０は、プラスチック成形により一体成形品として製造することができる。
【００１４】
当該中間領域部１６の少なくとも一方の平面１６ａに、カメラで読み取り可能な識別コード１８が表示される。識別コードは、例えばＱＲコード（登録商標）のような二次元コードである。識別コードは所定のウェブサイトにリンクされており、いわゆるスマートフォンのようにカメラ機能、コードリーダ機能、インターネット接続機能を有する情報端末を用いて、識別コードを読み取ることにより、自動的にウェブサイトへ接続し、当該ウェブサイトをスマートフォンのディスプレイに表示させる。
【００１５】
広告主は、あらかじめ自社のウェブサイトにリンクされた識別コードが表示された本発明のゴルフティーを、例えばノベルティグッズとして、さまざまな機会を利用して配布する。これにより、ゴルフティーを広告宣伝媒体として活用することができる。ゴルフティーは、ゴルフのプレイ中にプレイヤの身近に用意され、手に取り、そして視覚に触れる機会が多いため、広告効果は高い。本発明の実施の形態例では、識別コードをカメラで読み取り可能に表示できる程度の平面領域をゴルフティーに設けることで、識別コードが表示されたゴルフティーが提供される。
【００１６】
より具体的には、中間領域部１６の少なくとも一方の平面に、識別コード１８が印刷されたプレート２０が貼り付けられる。図３は、プレート２０の例を示す図である。プレート２０は、薄い（例えば0.7mm程度）プラスチック樹脂シートであり、中間領域部１６の平面１６ａの形状に合った大きさであり、既存の印刷装置により、識別コード１８がプレート２０に印刷される。識別コード１８に加えて、文字や図形などが印刷されてもよい。プレート２０は、接着剤により中間領域部１６の平面１６ａに貼り付けられる。プレート２０は、その周端部分が中間領域部１６の縁１６ｂにより囲まれるので剥がれにくい構造となっている。
【００１７】
中間領域部１６の他方の平面にもプレート１８が貼り付けられてもよい。中間領域部１６の表裏に貼り付けられるプレート１８は、同一の表示内容であってもよいし、別の表示内容であってよく、識別コード１８も、両面に表示されてもよいし、片面でもよい。例えば、一方の平面には、会社名と識別コード１８が表示され、他方の平面には、商品名や商品の写真などが表示されるようにしてもよい。
【００１８】
識別コード１８は、平面１６ａに直接印刷されるようにしてもよい。プラスチック成形により作成されたゴルフティーに対して、既存の印刷装置を用いて、その中間領域部１６に直接識別コードが印刷される。
【００１９】
平面１６ａは、カメラにより識別コード１８を読み取り可能な程度に実質的な平面が確保されていればよく、例えばわずかに湾曲している場合などは実質的な平面として、本発明の範囲に含まれる。
【００２０】
本発明は、前記実施の形態に限定されるものではなく、本発明の分野における通常の知識を有する者であれば想到し得る各種変形、修正を含む要旨を逸脱しない範囲の設計変更があっても、本発明に含まれることは勿論である。
【符号の説明】
【００２１】
１０：ゴルフティー、１２：軸部、１４：載置部、１６：中間領域部、１６ａ：平面、１６ｂ：高さのある縁、１８：識別コード、２０：プレート
【図１】
2019201766.tif 000003
【図２】
2019201766.tif 000004
【図３】
2019201766.tif 000005